(57)【要約】【課題】  装置固有のアドレスを用いた特定の起動要求通知でしか復帰しない節電状態に移行した印刷装置を起動させる方法がブロードキャストアドレスを用いた前記特定の起動要求通知を送出するしか無い場合におけるネットワーク全体の消費電力の低減。【解決手段】  特定の起動要求通知にしか反応しない節電状態を備える印刷装置において、印刷装置固有のアドレスを用いた前記特定の起動要求通知によって起動した場合と異なり、ブロードキャストアドレスを用いた前記特定の起動要求通知によって起動したと判断した印刷装置は通常の節電移行時間よりも短い時間で再度節電状態に移行するようにしておく。【選択図】  図１
2006236229.tif 000002
【特許請求の範囲】
【請求項１】
印刷／ステータス要求応答可能な高消費電力状態と、印刷／ステータス要求応答不可能な低消費電力状態とネットワークに接続する手段を有する印刷装置であって、
条件に合致した際に高消費電力状態から低消費電力状態に移行する手段、
前記条件とは別の条件に合致した際に低消費電力状態から高消費電力状態に移行する手段を有する印刷装置と、
前記印刷装置に代わって印刷／ステータス要求を受け付ける手段と、印刷／ステータス要求元への応答手段を有し、同時に前記印刷装置を低消費電力状態から高消費電力状態へ移行させる手段およびネットワークに接続する手段を有する代理装置
を用いた印刷方法において、前記印刷装置が前記低消費電力状態である時に前記代理装置がネットワークへ接続する手段を失った際に
前記印刷装置を印刷／ステータス要求応答可能な状態に移行させる手段が
前記代理装置の起動要求手段とは別の手段であることを特徴とする方法であって、前記ネットワーク上に複数の前記印刷装置が存在していた場合の消費電力を抑える方法。
【請求項２】
請求項１記載の高消費電力状態から低消費電力状態に移行する条件が一定時間、印刷／ステータス要求が無かった場合であることを特徴とする請求項１記載の印刷装置およびその方法。
【請求項３】
請求項１記載の低消費電力状態から高消費電力状態に移行する条件が特定のパケットを受信することであること特徴とする請求項１記載の印刷装置およびその方法。
【請求項４】
前記代理装置が前記印刷装置を印刷／ステータス要求応答可能な高消費電力状態へ移行させる手段が、請求項１記載の印刷装置固有のアドレスを用いた請求項３記載の起動要求通知であることを特徴とする請求項１記載の装置およびその方法。
【請求項５】
請求項１記載の代理装置が印刷・ステータス要求を受け付ける手段を失った際に
前記印刷装置を印刷／ステータス要求応答可能な高消費電力状態に移行させる手段が、請求項１記載の印刷装置の属するネットワークへのブロードキャストアドレスを用いた請求項３記載の起動要求通知のみであることを特徴とする請求項１記載の装置およびその方法。
【請求項６】
請求項４記載の印刷装置固有のアドレスを用いた起動要求通知による起動と
請求項５記載のブロードキャストアドレスを用いた起動要求通知による起動とを区別する手段を有し、
前記印刷装置固有のアドレスを用いた起動要求通知による起動の場合は前記代理装置からの起動要求であると判断し、
ブロードキャストアドレスを用いた起動要求通知による起動の場合は前期代理装置が印刷／ステータス要求を受け付ける手段を失ったと判断する手段を有する請求項１記載の印刷装置およびその方法。
【請求項７】
請求項６記載の方法によって前記代理装置からの起動要求であると判断した場合、印刷／ステータス要求を処理後、請求項２記載の条件のもとで前記低消費電力状態に移行する手段を有する請求項１記載の印刷装置およびその方法。
【請求項８】
請求項６記載の判断手段によって前期代理装置が印刷・ステータス要求を受け付ける手段を失ったと判断した場合は一定時間経過後に低消費電力状態に移行する手段を有する請求項１記載の印刷装置およびその方法。
【請求項９】
請求項８記載の時間が請求項２記載の時間より短時間であることを特徴とする請求項１記載の印刷装置およびその方法。
【請求項１０】
請求項３記載の起動要求通知がマジックパケットである請求項１記載の方法。
【発明の詳細な説明】
【技術分野】
【０００１】
本発明は、印刷装置、印刷制御方法、マジックパケットに関する。
【背景技術】
【０００２】
従来、特定の起動要求通知でしか復帰しない節電状態に移行した印刷装置に代わって代理装置が印刷要求を受け付け、同時に節電中の印刷装置を起こすために前記特定の起動要求通知を送出し、前記印刷装置を起動させ、代理装置が代行応答した印刷要求を前記印刷装置が印刷処理するといったシステムがあった。
【０００３】
又、従来例としては、例えば特許文献１と特許文献２をあげることが出来る。
【特許文献１】特開平１１−１８４８４９号公報
【特許文献２】特開２０００−２０９２２０号公報
【発明の開示】
【発明が解決しようとする課題】
【０００４】
前記特定の起動要求通知は、米国のＡＭＤ社が提案したマジックパケット技術を用いて実現することができる。マジックパケット技術とは、ネットワークを介して遠隔操作でネットワーク機器（コンピュータ、プリンタ等）の電源をオン・オフする技術であり、マジックパケットと呼ぶネットワーク機器のアドレスを用いた起動命令用の特殊なパケットを用いて起動要求を行う。
【０００５】
前記システムにおいて、前記代理装置の故障等により前記代理装置へのアクセスが不可能になった場合、前記印刷装置固有のアドレスを記憶しているものが居なくなり、前記印刷装置を節電状態から復帰させることができなくなっていた。そこで前記印刷装置を起動させるためには前記印刷装置の存在するネットワークに対してブロードキャストマジックパケットを送出するしか方法がなかった。しかしながら、この方法では前記ネットワーク上に存在する前記マジックパケットによって起動する装置全てを起動させてしまうことになるため、ネットワーク全体の消費電力が増加してしまうという問題があった。
【課題を解決するための手段】
【０００６】
上記問題を解決するための手段を以下に記す。
【０００７】
マジックパケットでしか起動しない節電状態を備える印刷装置において、印刷装置のアドレスを用いたマジックパケットによって起動した場合と異なり、ブロードキャストマジックパケットによって起動したと判断した印刷装置は通常の節電移行時間よりも短い時間で再度節電状態に移行するようにしておく。印刷要求／ステータス要求を受ける印刷装置は、上記マジックパケット後に発行される印刷／ステータス要求を処理し、印刷／ステータス要求を受ける印刷装置以外の印刷装置は通常の節電移行よりも短い時間で節電に戻るため、ネットワーク全体の消費電力を抑えることが可能となる。
【発明の効果】
【０００８】
以上詳述したように本発明によれば、目的の印刷装置がブロードキャストアドレスを用いた特定の起動要求通知でしか復帰しないような状態において、ブロードキャストアドレスを用いた特定の起動要求通知によってネットワーク上の全印刷装置が起動されてしまうことに起因するネットワーク全体の消費電力の増加を早期に低減させることが可能となる。
【発明を実施するための最良の形態】
【０００９】
以下、本発明の実施の形態を、図面を参照して説明する。
【００１０】
（第１の実施の形態）
図１は、第１の実施の形態におけるホストＰＣ、代理サーバ、プリンタの構成を示すブロック図である。
【００１１】
１０１はホストＰＣであり、１０４は代理サーバ、１０５，１０６，１０７は通常の印刷可能状態、MACアドレスにしか反応しない節電状態を備えているプリンタである。また、１０８はホストＰＣ１０１、代理サーバ１０４、プリンタ１０５、プリンタ１０６、プリンタ１０７を有するネットワークである。
【００１２】
図２は、第１の実施の形態におけるプリンタの節電状態、印刷可能状態の状態遷移を示したフローチャートである。
【００１３】
プリンタ１０５，１０６，１０７は前記通常の印刷可能状態から前記ＭＡＣアドレスにしか反応しない節電状態への移行に関して設定された遷移時間内に、印刷要求がない場合、前記マジックパケットにしか反応しない節電状態に移行する。この状態で、代理サーバへのアクセスが不可能になった場合、例えばプリンタ１０５を起動させたくてもプリンタ１０５のＭＡＣアドレスを把握している代理サーバ１０４との通信ができないため、プリンタ１０５のＭＡＣアドレスを用いたマジックパケットを使用することができなくなってしまう。このような場合、プリンタ１０５を印刷状態に移行させるにはプリンタ１０５の属するネットワークにブロードキャストＭＡＣアドレスを用いたマジックパケットを流すしか方法がない。しかしながら、この際、起動するのはプリンタ１０５だけではなく、ネットワーク１０８上のマジックパケットに反応して起動する装置全て（プリンタ１０６、プリンタ１０７）を起こしてしまう。このため、プリンタ１０５，１０６，１０７に関して、ブロードキャストMACアドレスによって起動した場合は、前記通常の印刷可能状態から前記ＭＡＣアドレスにしか反応しない節電状態への移行に関して設定された遷移時間よりもはるかに短い時間で節電状態に移行するようにしておく。ブロードキャストマジックパケットによる起動後の節電状態への遷移時間はブロードキャストマジックパケットに続いてプリンタ１０５宛の印刷要求が受け取ることが可能な時間にしておけば、プリンタ１０５は印刷要求を処理することが可能となる。また、目的のプリンタ以外のプリンタはブロードキャストマジックパケットによって一度起動させられてしまうものの、速やかに節電状態に移行させることができ、ネットワーク全体の消費電力を早期に低減させることが可能となる。
【図面の簡単な説明】
【００１４】
【図１】第１の実施の形態におけるホストＰＣ、代理サーバ、プリンタの構成を示すブロック図である。
【図２】第１の実施の形態におけるプリンタの節電状態、印刷可能状態の状態遷移を示したフローチャートである。
【符号の説明】
【００１５】
１０１  ホストＰＣ
１０４  代理サーバ
１０５  プリンタＡ
１０６  プリンタＢ
１０７  プリンタＣ
１０８  ネットワーク
【図１】
2006236229.tif 000003
【図２】
2006236229.tif 000004